(57)【要約】【課題】湿式電気集塵機において、ハニカム構造とした複数の集塵電極を採用しつつ、集塵電極における洗浄水の液溜りを防止または抑制する。【解決手段】集塵塔３０は、各集塵電極４０が横断面六角形をなすハニカム構造とされている。各集塵電極４０の下端部の全周縁に、集塵電極の六つの辺それぞれに沿って下方に向けて張り出した水切り部４２を設けている。水切り部４２を構成する６つの面は、各面の中央部が下方に突設された山形をなすとともに、左右端部が隣接する面と同じ突設位置で連結されている。【選択図】図２
2015202485.tif 000002
【特許請求の範囲】
【請求項１】
集塵塔に沿ってガスを導入する縦型構造の湿式電気集塵機であって、
前記集塵塔内に沿って六角筒状をなす複数の集塵電極がハニカム構造を構成するように配置されるとともに、各集塵電極内の中央部に上下方向に放電線がそれぞれ張設されており、
前記集塵塔は、各集塵電極の下端部に、集塵電極の六つの辺それぞれに沿って下方に向けて全周縁に亘って張り出した水切り部を有し、
前記水切り部を構成する６つの面は、各面の中央部が下方に突設された山形をなすとともに、各面の左右端部が隣接する面と同じ位置で連結されていることを特徴とする湿式電気集塵機。
【請求項２】
前記集塵塔の上面側に、更に水切り手段を有することを特徴とする請求項１に記載の湿式電気集塵機。
【請求項３】
前記集塵塔の上部には、全集塵電極の上部端面を含む面一な面が設けられており、前記水切り手段が、前記集塵塔の前記面一な面の上面に、いずれかの集塵電極の筒部内に繋がるように形成された水切り溝であることを特徴とする請求項２に記載の湿式電気集塵機。
【請求項４】
洗浄用スプレーノズルを前記集塵塔の上部側および下部側のそれぞれに有し、前記洗浄用スプレーノズルのうち、前記集塵塔に向けて洗浄水を噴射する洗浄用スプレーノズルの噴射口は、集塵電極の全てに亘って洗浄水を噴射するように、ハニカム構造を構成する複数の集塵電極を外周側から囲繞するように配置されていることを特徴とする請求項１〜３のいずれか一項に記載の湿式電気集塵機。
【発明の詳細な説明】
【技術分野】
【０００１】
本発明は、ガス中に浮遊する塵埃などの微粒子を集塵電極に捕集するとともに、捕集した微粒子を洗浄水とともに流れ落とす湿式電気集塵機に関する。
【背景技術】
【０００２】
湿式電気集塵機は、相互に対向配設した集塵電極および放電電極を有する。例えば特許文献１に記載の技術では、集塵機の幅方向に集塵電極となる板状の集塵電極板と、放電電極となる放電線とを交互に配置した構成を採用している。
ガス中の塵埃などの微粒子を捕集するときは、集塵電極を接地するとともに放電電極に負の高電圧を印加する。これにより、放電電極からコロナ放電が発生し、集塵機のガス導入口より導入したガスに含まれる微粒子に帯電をさせて集塵電極に捕集するようになっている。さらに、この種の湿式電気集塵機は、霧状に水を噴射するスプレーノズルを用いて集塵電極に洗浄水を噴射して集塵電極表面に洗浄水の水膜を作り、集塵電極に捕集した微粒子を洗浄水とともに流れ落とすようになっている。
【０００３】
ここで、噴射された洗浄水は、集塵電極の極板面を流れて集塵機下部の排出口から外部に排出されるところ、集塵電極の下端部にて、洗浄水の表面張力により液溜りが生ずると火花放電の原因となる。そこで、例えば特許文献１に記載の技術では、集塵部下部に傾斜を設けた水切り部を形成している。これにより、集塵電極の下端部に生ずる液溜りは、水切り部の傾斜に沿って流下する。そのため、集塵電極の下端部での水切り性が向上し、洗浄水を効果的に落下させることができる。よって、集塵電極の下端部での火花放電を防止または抑制することができる。
【先行技術文献】
【特許文献】
【０００４】
【特許文献１】特開２００２−１１９８８９号公報（図２）
【特許文献２】特開２００１−６２５８９号公報（図５、段落００１３）
【発明の概要】
【発明が解決しようとする課題】
【０００５】
ところで、特許文献１に記載の技術では、一の方向に板状の集塵電極板と放電線とを交互に配置した構成を採用しているが、電気集塵機において、集塵効率を向上させるためには、有効集塵面積を大きくすること、つまり、コロナ放電が発生する有効集塵空間における集塵電極の表面積の総和を大きくすることが有効である。しかし、集塵機の一の方向に板状の集塵電極板と放電線を交互に配置した構成であると、有効集塵空間が限定される場合に、単位面積当たりの集塵面積を広げるには限界がある。
【０００６】
これに対し、例えば特許文献２に記載の溶接作業台に係る技術では、電気集塵手段の集塵電極を六角筒状とし、六角筒状の集塵電極をハニカム構造とした電極集束体を採用することにより、集塵電極の表面積を広くして高い微粒子の除去能力を発揮できるとしている。湿式電気集塵機においても、集塵電極を複数の六角筒状体から構成してハニカム構造とすることが集塵効率を向上させる上で有効である。
【０００７】
しかしながら、特許文献２に記載の技術は、溶接作業台に係るものであるから、同文献記載のハニカム構造の電極集束体を湿式電気集塵機にそのまま採用することはできない。
つまり、同文献記載の電気集塵手段は、溶接作業台用としての乾式の電気集塵手段なので、湿式電気集塵機に必須の構成である水膜を噴射するスプレーノズルを有しておらず、当然に、集塵電極下部に洗浄水の液溜りが生ずることもない。そのため、これに起因する火花放電の対策が不要だからである。
一方、上述したように、湿式電気集塵機においては、火花放電の対策が必要であるところ、上述した特許文献１に記載の技術では、水切り部を有する集塵電極が板状であって、板状の集塵電極が集塵機の幅方向に列をなす構成なので、これをハニカム構造の電極集束体に転用して、集塵電極における洗浄水の液溜りを効果的に防止または抑制する上では未だ改善の余地が残されている。
【０００８】
そこで、本発明は、このような問題点に着目してなされたものであり、湿式電気集塵機において、ハニカム構造の集塵電極を採用しつつも、集塵電極における洗浄水の液溜りを効果的に防止または抑制することができる湿式電気集塵機を提供することを目的とする。
【課題を解決するための手段】
【０００９】
上記課題を解決するために、本発明の一態様に係る湿式電気集塵機は、集塵塔に沿ってガスを導入する縦型構造の湿式電気集塵機であって、前記集塵塔内に沿って六角筒状をなす複数の集塵電極がハニカム構造を構成するように配置されるとともに、各集塵電極内の中央部に上下方向に放電線がそれぞれ張設されており、前記集塵塔は、各集塵電極の下端部に、集塵電極の六つの辺それぞれに沿って下方に向けて全周縁に亘って張り出した水切り部を有し、前記水切り部を構成する６つの面は、各面の中央部が下方に突設された山形をなすとともに、各面の左右端部が隣接する面と同じ位置で連結されていることを特徴とする。
【００１０】
本発明の一態様に係る湿式電気集塵機によれば、集塵電極が六角筒状をなすとともにハニカム構造に配置された集塵塔を採用しているので、コロナ放電が発生する有効集塵空間における集塵電極の表面積の総和を大きくすることができる。よって、集塵効率を向上させることができる。
【００１１】
そして、この集塵塔は、各集塵電極の下端部の全周縁に亘り、集塵電極の六つの辺それぞれに沿って下方に向けて張り出した水切り部を有し、水切り部を構成する６つの面は、各面の中央部が下方に突設された山形をなすとともに、各面の左右端部が隣接する面と同じ位置で連結されているので、各集塵電極の六角筒状の極板面の全ての端部において、極板端部に生ずる液溜りを水切り部の山形の傾斜に沿って流下させることができる。そのため、ハニカム構造を構成する全ての集塵電極での水切り性が向上し、洗浄水を効果的に落下させることができる。したがって、集塵電極における洗浄水の液溜りを効果的に防止または抑制する上で好適である。
【００１２】
ここで、本発明の一態様に係る湿式電気集塵機において、前記集塵塔の上面側に、更に水切り手段を有することは好ましい。また、前記集塵塔の上部には、全集塵電極の上部端面を含む面一な面が設けられており、前記水切り手段が、前記集塵塔の前記面一な面の上面に、いずれかの集塵電極の筒部内に繋がるように形成された水切り溝であることは好ましい。このような構成であれば、集塵塔の上面側に更に水切り手段を設けているので、集塵塔の上面での洗浄水の液溜りを防止または抑制する上で好適である。
【００１３】
また、本発明の一態様に係る湿式電気集塵機において、洗浄用スプレーノズルを前記集塵塔の上部側および下部側のそれぞれに有し、前記洗浄用スプレーノズルのうち、前記集塵塔に向けて洗浄水を噴射する洗浄用スプレーノズルの噴射口は、集塵電極の全てに亘って洗浄水を噴射するように、ハニカム構造を構成する複数の集塵電極を外周側から囲繞するように配置されていることは好ましい。このような構成であれば、ハニカム構造を構成する六角筒状の各集塵電極の全てに洗浄水を噴射する洗浄用スプレーノズルの配置として好適である。
【発明の効果】
【００１４】
上述のように、本発明によれば、湿式電気集塵機において、ハニカム構造の集塵電極を採用しつつ、集塵電極における洗浄水の液溜りを防止または抑制することができる。
【図面の簡単な説明】
【００１５】
【図１】本発明の一態様に係る湿式電気集塵機の一実施形態を説明する図であり、同図では、縦型構造の湿式電気集塵機の要部をその軸線方向に沿った断面にて示している。
【図２】図１の集塵塔の部分を説明する図であり、同図（ａ）はその平面図、（ｂ）は正面図である。
【図３】図１の集塵塔の部分を説明する図であり、同図（ａ）は、図２でのＺ−Ｚ断面図、（ｂ）は、図２（ｂ）でのＡ矢視図（底面図）であり、同図では、ハニカム構造の底部端面を誇張して図示している。
【発明を実施するための形態】
【００１６】
以下、本発明の一実施形態について、図面を適宜参照しつつ説明する。
図１に示すように、この湿式電気集塵機１は、上方から順に、上部ケーシング１０、集塵塔３０および下部ケーシング２０を有する。上部ケーシング１０の下部に形成されたフランジ１１と集塵塔３０の上部フランジ３１、および、集塵塔３０の下部フランジ３２と下部ケーシング２０の上部に形成されたフランジ２１は、相互がボルト・ナットにより連結されてケーシング全体が一体とされている。湿式電気集塵機１のケーシング全体は、不図示の基台等の支持構造により軸線を上下にして支持された縦型構造となっている。なお、ケーシングは、円筒状や角筒状など適宜の筒状体とすることができるが、本実施形態では、矩形筒状のケーシングを用いている。
【００１７】
下部ケーシング２０の側面には、ガス導入口８が配設され、上部ケーシング１０の側面には、ガス排気口９が配設されている。ガス排気口９の側には、不図示の送気ファン塔の設備が付設され、これにより、塵埃などの微粒子を含むガスＧをケーシング下部のガス導入口８から導入してケーシング上部のガス排気口９から微粒子を除去後のガスＧを排気するようになっている。なお、下部ケーシング２０内には、導入されたガスＧを分散させるために、多数の孔が形成された分散板６０が配置されている。
【００１８】
集塵塔３０の内部には、開口部が六角形をなし内面が平滑面とされた六角筒状の集塵電極４０を単位とした集塵室を有し、複数の集塵電極４０がハニカム構造を構成するように配置されている（図２（ａ）参照）。集塵塔３０は、導電性を有するカーボンＦＲＰ（ＦＲＰ：Ｆｉｂｅｒ  Ｒｅｉｎｆｏｒｃｅｄ  Ｐｌａｓｔｉｃｓ）から形成されている。なお、集塵塔３０の詳細については後述する。
【００１９】
湿式電気集塵機１のケーシング内部には、上方から順に、吊下管５、上部グリッド２、放電線６、および下部グリッド３が設けられて放電電極機構を構成している。そして、集塵塔３０の側は接地され、吊下管５を介して各放電線６に不図示の電源から負極の直流高電圧が印加されるようになっている。
【００２０】
上部グリッド２と下部グリッド３は、上記集塵塔３０に対して上下それぞれに所定距離だけ離間して水平姿勢で配置されている。吊下管５は、上部ケーシング１０の中央から垂下されるとともに、上部グリッド２に連結されて上部ケーシング１０内の所定位置に上部グリッド２を保持している。
【００２１】
放電電極は複数の放電線６により構成され、各放電線６は、放電効率が向上するように、トゲ状の放電用突起７が所定ピッチで適所に設けられている。各放電線６は、各集塵電極４０に対してそれぞれ配置される。各放電線６は、上端部が上部グリッド２に固定され、下端部が下部グリッド３に固定される。放電線６は、各集塵電極４０の中心に沿って上下方向に張設されている。
【００２２】
さらに、本実施形態の湿式電気集塵機１には、集塵塔３０の各集塵電極４０に付着した微粒子を洗浄して除去するために、洗浄水を噴出する複数の洗浄用スプレーノズルが設けられている。本実施形態の例では、集塵塔３０よりも上部に、上下に離隔した第一スプレーノズル６１、および第二スプレーノズル６２を有する。各洗浄用スプレーノズル６１，６２は、使用目的によって水量を変化させることができるように、噴射流量の異なるノズルを有している。そして、各洗浄用スプレーノズル６１，６２は、上部ケーシング１０の内周面に沿って配管されており、ハニカム構造を構成する複数の集塵電極４０を外周側から囲繞するように複数の噴射口が配置されている。なお、図中、噴射口から洗浄水を噴出するイメージを破線にて図示している。
【００２３】
そして、スプレーノズル６１，６２の各噴射口から噴射された洗浄水は、その後、湿式電気集塵機１の上から下へと流れるところ、下部ケーシング２０の最も低い位置に排出管５１が接続されており、この排出管５１から洗浄水と共に、各集塵電極４０の内壁面に付着した微粒子が排水タンク５０に排出されるようになっている。
【００２４】
また、微粒子は、下部のガス導入口８から導入されることから、各集塵電極４０の下部の入り口部分に多く付着する。そこで、本実施形態の例では、洗浄用スプレーノズルとして、集塵塔３０よりも低い位置から上方に向けて洗浄水を噴射するとともに、各集塵電極４０の下部側の位置に、洗浄水を噴射可能な複数の噴射口を有する上向き洗浄ノズル６３を設けている。
【００２５】
また、微粒子は、ガス導入管８からガスＧが導入された後、ガスＧは、下部ケーシング２０に設けられた分散板６０を介してから集塵塔３０に流れ込む。そのため、分散板６０にもガス中の微粒子が多く付着する。そこで、本実施形態の例では、上記上向き洗浄ノズル６３よりも低い位置であって分散板６０よりも高い位置に、下方に向けて洗浄水を噴射するとともに、分散板６０の上面に洗浄水を噴射可能な複数の噴射口を有する下向き洗浄ノズル６４を設けている。
【００２６】
上向き洗浄ノズル６３および下向き洗浄ノズル６４は、下部ケーシング２０の内周面に沿って配管されており、それらの複数の噴射口の配置位置は、各集塵電極４０の通ガス部である有効集塵空間よりも外周側の位置から各集塵電極４０の通ガス部に向けてミスト状に水を周囲側方から噴射するように配置されている。これにより、噴射口部分が接ガスすることを可及的に避けるとともに、この配置により、上部から落ちてくる微粒子の塵芥が噴射口部分に付着することにより、噴射口が詰まることを防止している。
【００２７】
ここで、集塵塔３０の上方から垂れる水滴が各集塵電極４０の下部に停滞して残ってしまうと、その部分で火花放電が発生してしまうという問題がある。そこで、本実施形態では、その対策として、洗浄水の液溜りを効果的に防止または抑制するために、水切り手段として、六角筒状の集塵電極４０の各面全ての下端部に亘って水切り部４２が設けられている。
【００２８】
以下、上述の集塵塔３０についてより詳しく説明する。なお、この集塵塔３０は、上述したように、導電性を有するカーボンＦＲＰ製であり、本実施形態の例では、集塵電極の高さは約４ｍである。
【００２９】
図２および図３に示すように、集塵塔３０の内部は、各集塵電極４０が、横断面が六角形とされた中空の六角筒がハニカム構造をなして配置されている。集塵塔３０は、上端部に上記上部フランジ３１を有するとともに、下端部に上記下部フランジ３２を有する。集塵塔３０は、各集塵電極４０の上部端面が面一とされており、上部フランジ３１は、各集塵電極４０の上部端面とも面一となる位置に設けられている。
上下のフランジ３１、３２は、ケーシングに整合させた矩形状に形成されており、ボルト・ナット締結用の複数の装着孔３５，３６が周囲の適所に形成されている。なお、図２および図３中、フランジ３１、３２に沿って図示された二点鎖線は、二点鎖線よりも外側が実質的なフランジとして機能する部分であり、二点鎖線よりも内側が、上下のケーシング１０、２０の内周側に位置する部分である。
【００３０】
複数の集塵電極４０は、同一形状の集塵電極４０を用いて構成されており、これら集塵電極４０相互を隣接させたときに対向する面が互いに当接するように連続配置することにより、平面視においてハニカム構造を構成している。本実施形態の例では、８つの集塵電極４０を３列に「３、２、３」の並びで配置したハニカム構造を設けている。各集塵電極４０の口径は同一であり、また、各集塵電極４０の６つの面との放電線６との対向距離、および電界強度も同一に設定されている。なお、集塵電極４０による集塵室の数は８室に限定されず、任意の室数とすることができる。例えばガス量に応じて集塵電極内流速を求めて適切な集塵電極４０の数を決定する。例えば７つの集塵電極４０から集塵室を構成する場合、一の集塵電極４０を中心とし他の集塵電極４０が一の集塵電極４０を囲繞する配置とすることができる。
【００３１】
さらに、この集塵塔３０は、各集塵電極４０の下端部の全周縁に亘って、集塵電極４０の六つの辺それぞれに沿って下方に向けて略山形に張り出した水切り部４２を水切り手段として設けている。
水切り部４２は、六つの辺それぞれに対応する各面の方向から見たときに、各面の中央部が、下方に突設された左右対称形状となっている。水切り部４２の各面の左右端部は、隣接する面と同じ位置で連結されている。これにより、全体的に安定した水切り性能を全ての箇所に対して確保可能になっている。また、同じ集塵電極形状とすることで、コストダウンおよび品質の安定を保つことができる。なお、本実施形態では、各集塵電極４０の水切り部４２は、その基端部の水平方向での位置が、全て同じ（いわば面一）とされており、その基端部の位置に合わせて上記下部フランジ３２が設けられている。
【００３２】
また、この集塵塔３０は、集塵塔３０の上面側に、更に、水切り手段として水切り溝３３を有している。この水切り溝３３は、上記上部フランジ３１の上面と面一とされている各集塵電極４０の上端面と同じ高さの面に、いずれかの集塵電極４０の筒部内に繋がるように凹の長溝を加工することによって形成されている。本実施形態の例では、ハニカム構造を８室の集塵電極４０から構成するに際し、集塵電極４０の並びを「３、２、３」としたので、中央の２室の両側に平面部３４が生じているところ、この平面部３４の中央の位置に、水切り溝３３を設けている。
【００３３】
ここで、上記集塵塔３０の製造方法について説明する。
本実施形態の例では、集塵塔３０は、同一の型枠を用いて製作した、複数の中空六角筒状の柱を組み合わせて製造している。まず、六角筒状の型枠を用いてその型枠部材の外面に離型剤を塗布し、その上から、繊維強化プラスチックであって導電性ＦＲＰのシートを重ね合わせて張り付けて横断面が六角形とされるとともに、内面が平滑面とされた六角筒体を作成する。次いで、成形状態が安定したら型枠から六角筒体を軸方向に抜き出す。次いで、六角筒体同士の隣接面を相互に接着してこれらを所期の数だけハニカム構造を構成するように組み合わせる。その後、軸方向の両端面にフランジ３１、３２をそれぞれ取り付けて一体とした集塵塔３０を製造する。
これにより、同じ部品である複数の集塵電極４０を組み合わせたハニカム構造をなす集塵塔３０が製造される。そのため、この集塵塔３０は、各集塵電極４０の部品管理が容易であり、組み立て時の作業効率も良く、また、製造コストを安価にすることができる。また、集塵塔３０は、全体が一体となっているので、剛性が高く安定した形状を維持する上で好適であり、さらに、導入されたガスが隣接する集塵電極４０の筒体部同士の間の空間に侵入して浸食されることも防止される。
【００３４】
次に、この湿式電気集塵機１の作用・効果について説明する。
上述の湿式電気集塵機１を運転するときは、集塵塔３０を接地し、放電線６に負の高電圧を印加して、放電線６からコロナ放電を発生させる。これと同時に、塵埃などの微粒子を含むガスＧをケーシング下部のガス導入口８から導入する。これにより、集塵塔３０の各集塵電極４０の集塵空間に微粒子を含んだガスが流れると、ガス中の微粒子が負に帯電する。帯電した微粒子は静電凝集作用を伴いつつクーロン力により各集塵電極４０の内壁面に向って移動して壁面上に付着する。同時に、上方の上部ケーシング１０に配設されているスプレーノズル６１，６２から洗浄水を下方の集塵塔３０に向けて噴射する。これによって、各集塵電極４０の内壁面に付着した微粒子を洗浄して除去する。洗浄水は微粒子とともに下部ケーシング２０へと流れ、下部ケーシング２０下のタンク５０へ排出される。塵埃などの微粒子が除去されたガスＧは、ケーシング上部のガス排気口９から排気される。
【００３５】
ここで、湿式電気集塵機の集塵効率は、有効集塵面積が大きい程向上する。これに対し、本実施形態の湿式電気集塵機１によれば、複数の集塵電極４０がハニカム構造に配置された集塵塔３０を採用しているので、コロナ放電が発生する集塵電極４０の有効集塵空間における集塵電極の表面積の総和を大きくすることができる。よって、集塵効率を向上させることができる。
なお、複数の筒状体を繰り返し配置することによって、広い有効集塵面積を確保する集塵電極としては、例えば、筒状体の開口部が円の円筒状や、開口部が矩形状の四角筒状とすることもできるものの、筒状体が円筒状であると、隣接する筒状体同士の間に不要な隙間部分がデットスペースとなる。そのため、同一断面積でより広い有効集塵面積を確保する上では不十分である。また、四角筒状であると、放電方向での面との対向距離と対角線方向との対向距離の差異が断面を六角形としたものに比べて大きくなる。これに対し、断面を六角形とした六角筒状であれば、有効集塵面積を大きくすることができる上、ハニカム配置が可能なので隣接する筒状体同士の間にデットスペースは無くなり、かつ、面との対向距離と対角線方向との対向距離の差異も可及的に小さくできるので、集塵効率を向上させる上で極めて好適である。
【００３６】
そして、本実施形態の湿式電気集塵機１によれば、集塵塔３０は、各集塵電極４０の下端部の全周縁に亘って、六つの辺それぞれに沿って下方に向けて張り出した水切り部４２を設けており、この水切り部４２を構成する６つの面は、各面の中央部が下方に突設された山形をなすとともに、各面の左右端部が隣接する面と同じ位置で連結されているので、六角筒状の各集塵電極４０の全ての極板面端部において、極板面端部に生ずる液溜りを水切り部の山形の傾斜に沿って流下させることができる。そのため、全ての集塵電極４０での水切り性が向上し、洗浄水を効果的に落下させることができる。
【００３７】
また、この集塵塔３０は、集塵塔３０の上面側での水切り手段として、集塵塔３０の上面（３４）に、集塵電極４０の筒部に繋がるように水切り溝３３を形成したので、集塵塔３０の上面での洗浄水の液溜りを防止または抑制する上で好適である。
【００３８】
また、本実施形態の湿式電気集塵機１によれば、複数の洗浄用スプレーノズル６１〜６３を、集塵塔３０の上部側および下部側のそれぞれに有し、これらノズル６１〜６３は、各集塵電極４０の全てに亘って洗浄水を噴射するように、ハニカム構造を構成する複数の集塵電極４０を外周側から囲繞するように複数の噴射口が配置されているので、ハニカム構造を構成する六角筒状の各集塵電極の全てに洗浄水を均等噴射する洗浄用スプレーノズルの配置として好適である。
【００３９】
さらに、ガスＧ中の微粒子は、ガス導入口８から導入された後、分散板６０を介してから集塵塔３０に導入されるところ、本実施形態によれば、集塵塔３０の下部入口に、分散板６０に向けて洗浄水を噴射する下向き洗浄ノズル６４を設けているので、分散板６０に付着する微粒子についても効率良く洗浄除去することができる。
【００４０】
以上説明したように、この湿式電気集塵機１によれば、ハニカム構造とした複数の集塵電極４０を採用しつつ、集塵電極４０における洗浄水の液溜りを効果的に防止または抑制することができる。なお、本発明に係る湿式電気集塵機は、上記実施形態に限定されるものではなく、本発明の趣旨を逸脱しなければ種々の変形が可能である。
【００４１】
例えば、上記実施形態では、ガスが集塵塔３０の下部から上部に流れる例で説明したが、これに限らず、例えばガスを集塵塔３０の上部から下部に流れる構成としてもよい。但し、ガスを集塵塔３０の下部から上部に流れる構成とすれば、ガス中の微粒子のうち質量が大きいものを低い位置から集塵させて下方に向けて洗浄する上で好ましいため、湿式電気集塵機の集塵効率を向上させる上で好適である。
また、例えば上記実施形態では、集塵塔３０の上面側に、更に水切り手段を有する例で説明したが、これに限定されず、水切り手段は、少なくとも各集塵電極の下部に設ける構成とすることができる。しかし、集塵電極４０における洗浄水の液溜りをより効果的に防止または抑制する上では、集塵塔の上面側にも水切り手段を設けることが好ましい。
また、上記実施形態では、集塵塔の上面側に設ける水切り手段の一例として、集塵塔３０の上面（平面部３４）に、集塵電極４０の筒部内に繋がるように形成された水切り溝３３を形成した例で説明したが、これに限らず、例えば、集塵塔の上面側の水切り手段として、上記平面部３４自体を集塵電極４０の筒部内側に下り勾配の傾斜面として形成してもよい。また、上記第一または第二スプレーノズルと同様に配置した空気噴射ノズルを更に設け、この空気噴射ノズルからの圧縮空気噴射によって洗浄水の液溜りを解消するようにしてもよい。しかし、低コストで且つ簡素な構成で集塵塔の上面側にも水切り手段を設ける上では、上記のように、平面部３４に水切り溝３３を形成することが好ましい。
【符号の説明】
【００４２】
１    湿式電気集塵機
２    上部グリッド
３    下部グリッド
５    吊下管
６    放電線
７    放電用突起
８    ガス導入口
９    ガス排気口
１０    上部ケーシング
１１    （上部ケーシングの）フランジ
２０    下部ケーシング
２１    （下部ケーシングの）フランジ
３０    集塵塔
３１    上部フランジ
３２    下部フランジ
３３    水切り溝（水切り手段）
３４    平面部
４０    集塵電極（集塵室）
４２    水切り部（水切り手段）
５０    タンク
５１    排出口
６０    分散板
６１    （集塵塔上部の）第一スプレーノズル
６２    （集塵塔上部の）第二スプレーノズル
６３    （集塵塔下部の）上向き洗浄ノズル
６４    （集塵塔下部の）下向き洗浄ノズル
【図１】
2015202485.tif 000003
【図２】
2015202485.tif 000004
【図３】
2015202485.tif 000005